(57)【特許請求の範囲】
【請求項１】
複数の梁の梁鉄筋を平面視で交差状態に組み付ける梁鉄筋組付け方法であって、
梁の梁鉄筋中の梁主筋を、梁長さ方向一端側が梁長さ方向他端側よりも上方側に位置する傾斜姿勢とし、梁長さ方向一端側が接続対象の梁の梁鉄筋中の梁主筋に対して当接または近接する交差状態で上方側に位置ズレし、且つ、梁長さ方向他端側が接続対象の梁の梁鉄筋中の梁主筋に対して当接または近接する交差状態で下方側に位置ズレする梁主筋交差状態で複数の梁の梁鉄筋を組付ける梁鉄筋組付け方法。
【請求項２】
前記梁の梁鉄筋として、平面視で多角形状に接続される３本以上の梁の梁鉄筋を有し、
前記梁の各々の梁鉄筋中の梁主筋を、梁長さ方向一端側が梁長さ方向の他端側よりも上方側に位置する傾斜姿勢とし、各々の梁主筋の梁長さ方向一端側が接続対象の梁の梁鉄筋中の梁主筋に対して当接または近接する交差状態で上方側に位置ズレし、且つ、各々の梁主筋の梁長さ方向の他端側が接続対象の梁の梁鉄筋中の梁主筋に対して当接または近接する交差状態で下方側に位置ズレする梁主筋交差状態で３本以上の梁の梁鉄筋を組付ける請求項1記載の梁鉄筋組付け方法。
【請求項３】
複数の梁の梁鉄筋を組み付ける梁鉄筋組付け方法であって、
前記梁の梁鉄筋として、多角形状に接続される３本以上の梁の梁鉄筋を有し、
前記梁の各々の梁鉄筋中の梁主筋を、梁長さ方向一端側が梁長さ方向の他端側よりも上方側に位置する傾斜姿勢とし、各々の梁主筋の梁長さ方向一端側が接続対象の梁の梁鉄筋中の梁主筋に対して上方側に位置ズレし、且つ、各々の梁主筋の梁長さ方向の他端側が接続対象の梁の梁鉄筋中の梁主筋に対して下方側に位置ズレする梁主筋交差状態で３本以上の梁の梁鉄筋を組付け、
前記梁主筋どうしの交差部位の各々が同一又は略同一レベルに位置する配置状態で組付ける梁鉄筋組付け方法。
【発明の詳細な説明】
【技術分野】
【０００１】
本発明は、複数の梁の梁鉄筋を組み付ける梁鉄筋組付け方法に関する。
【背景技術】
【０００２】
例えば、特許文献１の図６に示すように、複数の梁の一例である三本の鉄筋コンクリート梁の各々を構成する梁鉄筋を、各々の梁鉄筋中の梁主筋の端側どうしを交差させた状態で平面視においてトライアングル形状（多角形状の一例）に接続する場合、従来の梁鉄筋組付け方法では、各鉄筋コンクリート梁の梁鉄筋中の梁主筋の各々を水平方向に沿う水平姿勢とし、梁主筋交差部の各々において、梁主筋交差部での組付け順位が後位となる鉄筋コンクリート梁の梁鉄筋中の梁主筋の梁長さ方向両端側が、梁主筋交差部での組付け順位が前位となる鉄筋コンクリート梁の梁鉄筋中の梁主筋の梁長さ方向両端側よりも共に上方側に位置する配置状態で組付けられている。
そのため、梁主筋交差部での組付け順位が１番目となる鉄筋コンクリート梁の梁鉄筋中の梁主筋が水平姿勢で配筋され、この１番目の梁主筋の梁長さ方向他端側部位の上方側に、組付け順位が２番目となる鉄筋コンクリート梁の梁鉄筋中の梁主筋の梁長さ方向一端側部位が交差状態で水平に配筋される。さらに、この２番目の梁主筋の梁長さ方向他端側部位の上方側に、組付け順位が３番目となる鉄筋コンクリート梁の梁鉄筋中の梁主筋の梁長さ方向一端側部位が交差状態で水平に配筋され、この３番目の梁主筋の梁長さ方向他端側部位は、１番目の梁主筋の梁長さ方向一端側部位の上方側に交差状態で水平に配筋される。
【先行技術文献】
【特許文献】
【０００３】
【特許文献１】実開昭５９−１７１１０１号公報
【発明の概要】
【発明が解決しようとする課題】
【０００４】
従来の梁鉄筋組付け方法では、組付け順位が１番目と３番目との梁主筋交差部位において、組付け順位が１番目の鉄筋コンクリート梁の梁鉄筋中の梁主筋の梁長さ方向一端側部位の上方側に、組付け順位が３番目の鉄筋コンクリート梁の梁鉄筋中の梁主筋の梁長さ方向他端側部位が交差状態で水平に配置されている。そのため、１番目の梁主筋の梁長さ方向一端側部位と３番目の梁主筋の梁長さ方向他端側部位との間に少なくとも２番目の梁主筋の厚み以上の高低差が生じる。
それ故に、複数の梁の各々を構成する梁鉄筋中の梁主筋の各々を交差状態で組付ける際、上述のように、多角形状の角部を構成する梁主筋交差部間で梁主筋の大きな高低差が生じれば、かぶり厚の関係や梁主筋交差部間の上端位置や下端位置を合わせる等により、梁断面が大きくなる等の不都合が生じる。しかも、各梁の断面構成が異なるため、梁主筋の組付け効率の低下や配筋間違えを招来する不都合もある。
【０００５】
この実情に鑑み、本発明の主たる課題は、複数の梁の梁鉄筋中の梁主筋どうしの交差部の高低差を小さくして、梁全体の梁断面の小形化と各梁の断面構成の統一化を図ることのできる梁鉄筋組付け方法を提供する点にある。
【課題を解決するための手段】
【０００６】
本発明による第１の特徴構成は、複数の梁の梁鉄筋を平面視で交差状態に組み付ける梁鉄筋組付け方法であって、
梁の梁鉄筋中の梁主筋を、梁長さ方向一端側が梁長さ方向他端側よりも上方側に位置する傾斜姿勢とし、梁長さ方向一端側が接続対象の梁の梁鉄筋中の梁主筋に対して当接または近接する交差状態で上方側に位置ズレし、且つ、梁長さ方向他端側が接続対象の梁の梁鉄筋中の梁主筋に対して当接または近接する交差状態で下方側に位置ズレする梁主筋交差状態で複数の梁の梁鉄筋を組付ける点にある。
【０００７】
上記構成によれば、例えば、複数の梁の各々を構成する梁鉄筋を、各々の梁鉄筋中の梁主筋の端側どうしを交差させた状態で接続する場合等において、複数の梁の梁鉄筋中の梁主筋どうしの交差部の高低差を小さくし、接続される梁全体の梁断面が大きくなるのを抑制することや、各梁の断面構成の相違を少なくし、梁主筋を含む梁鉄筋の組付け作業の効率化、配筋間違えの排除、梁構造の全体バランスの好適化を図ること等を実現できる。
【０００８】
本発明による第２の特徴構成は、前記梁の梁鉄筋として、平面視で多角形状に接続される３本以上の梁の梁鉄筋を有し、
前記梁の各々の梁鉄筋中の梁主筋を、梁長さ方向一端側が梁長さ方向の他端側よりも上方側に位置する傾斜姿勢とし、各々の梁主筋の梁長さ方向一端側が接続対象の梁の梁鉄筋中の梁主筋に対して当接または近接する交差状態で上方側に位置ズレし、且つ、各々の梁主筋の梁長さ方向の他端側が接続対象の梁の梁鉄筋中の梁主筋に対して当接または近接する交差状態で下方側に位置ズレする梁主筋交差状態で３本以上の梁の梁鉄筋を組付ける点にある。
【０００９】
上記構成によれば、３本以上の梁の梁鉄筋中の梁主筋どうしの交差部の高低差を小さくし、接続される梁全体の梁断面が大きくなるのを抑制することができる。さらに、各梁の断面構成の相違を少なくし、梁主筋を含む梁鉄筋の組付け作業の効率化、配筋間違えの排除、梁構造の全体バランスの好適化を図れる。
【００１０】
本発明による第３の特徴構成は、複数の梁の梁鉄筋を組み付ける梁鉄筋組付け方法であって、
前記梁の梁鉄筋として、多角形状に接続される３本以上の梁の梁鉄筋を有し、
前記梁の各々の梁鉄筋中の梁主筋を、梁長さ方向一端側が梁長さ方向の他端側よりも上方側に位置する傾斜姿勢とし、各々の梁主筋の梁長さ方向一端側が接続対象の梁の梁鉄筋中の梁主筋に対して上方側に位置ズレし、且つ、各々の梁主筋の梁長さ方向の他端側が接続対象の梁の梁鉄筋中の梁主筋に対して下方側に位置ズレする梁主筋交差状態で３本以上の梁の梁鉄筋を組付け、
前記梁主筋どうしの交差部位の各々が同一又は略同一レベルに位置する配置状態で組付ける点にある。
【００１１】
上記構成によれば、接続される三本以上の梁の断面形状を同一又は略同一に揃えることができ、梁主筋を含む梁鉄筋の組付け作業の効率化、配筋間違えの排除、梁構造の全体バランスの好適化を更に一層図れる。
【図面の簡単な説明】
【００１２】
【図１】本発明の梁鉄筋組付け方法が適用された鉄筋コンクリート梁の平面構成の説明図
【図２】鉄筋コンクリート梁の各梁主筋交差部における梁主筋の平面構成の説明図
【図３】図１におけるＩＩI−ＩＩI線での断面構成の説明図
【図４】図１におけるＩＶ−ＩＶ線での断面構成の説明図
【図５】図１におけるＶ−Ｖ線での断面構成の説明図
【発明を実施するための形態】
【００１３】
以下、本発明の実施形態を図面に基づいて説明する。
図１、図２は、本発明の梁鉄筋組付け方法で構築された三本の第１〜第３鉄筋コンクリート梁１〜３の各々を構成する第１〜第３梁鉄筋Ｒ１〜Ｒ３の配筋構造の概要を示す。この配筋構造は、高層ビル等の建物の梁、基礎梁に用いられる。
三本の第１〜第３鉄筋コンクリート梁１〜３の第１〜第３梁鉄筋Ｒ１〜Ｒ３は、平面視において中央側に多角形状の一例であるトライアングル形状（三角形状）の空間Ｓを形成する状態で構築されている。
第１〜第３鉄筋コンクリート梁１〜３の各々の第１〜第３梁鉄筋Ｒ１〜Ｒ３には、第１〜第３梁主筋１Ａ〜３Ａと、せん断補強筋としての第１〜第３スターラップ筋１Ｂ〜３Ｂ等が配筋されている。
【００１４】
第１〜第３鉄筋コンクリート梁１〜３の各々を構成する第１〜第３梁鉄筋Ｒ１〜Ｒ３中の第１〜第３梁主筋１Ａ〜３Ａは、図２〜図５に示すように、構成対象の各鉄筋コンクリート梁１〜３の上側部と下側部とにそれぞれ梁幅方向に所定間隔をあけて梁長さ方向に沿って平行に配筋されている。
また、第１〜第３鉄筋コンクリート梁１〜３を構成する第１〜第３梁鉄筋Ｒ１〜Ｒ３中の第１〜第３梁主筋１Ａ〜３Ａの各々は、トライアングル形状の各角部を構成する交差部位としての第１〜第３梁主筋交差部Ａ〜Ｃにおいて、隣り合う交差対象の鉄筋コンクリート梁１〜３の第１〜第３梁主筋１Ａ〜３Ａどうしを交差させる状態で、且つ、交差対象の梁主筋交差部Ａ〜Ｃを通し筋として貫通する状態で組付けられている。
【００１５】
詳しくは、第１梁主筋交差部Ａにおいては、図２〜図４に示すように、第１鉄筋コンクリート梁１を構成する第１梁鉄筋Ｒ１中の第１梁主筋１Ａの梁長さ方向の他端側部位１ｂと第２鉄筋コンクリート梁２を構成する第２梁主筋２Ａの梁長さ方向の一端側部位２ａとが設定交差角度（本実施形態では６０度の交差角度）で交差して配置されている。さらに、この第１梁主筋１Ａの梁長さ方向の他端側部位１ｂと第２梁主筋２Ａの梁長さ方向の一端側部位２ａは、第１梁主筋交差部Ａを通し筋として貫通する状態で配筋されている。
【００１６】
また、第２梁主筋交差部Ｂにおいては、図２、図４、図５に示すように、第２鉄筋コンクリート梁２を構成する第２梁鉄筋Ｒ２中の第２梁主筋２Ａの梁長さ方向の他端側部位２ｂと第３鉄筋コンクリート梁３を構成する第３梁主筋３Ａの梁長さ方向の一端側部位３ａとが設定交差角度（本実施形態では６０度の交差角度）で交差して配置されている。さらに、この第２梁主筋２Ａの梁長さ方向の他端側部位２ｂと第３梁主筋３Ａの梁長さ方向の一端側部位３ａは、第２梁主筋交差部Ｂを通し筋として貫通する状態で配筋されている。
【００１７】
さらに、第３梁主筋交差部Ｃにおいては、図２、図３、図５に示すように、第３鉄筋コンクリート梁３を構成する第３梁鉄筋Ｒ３中の第３梁主筋３Ａの梁長さ方向の他端側部位３ｂと第１鉄筋コンクリート梁１を構成する第１梁主筋１Ａの梁長さ方向の一端側部位１ａとが設定交差角度（本実施形態では６０度の交差角度）で交差して配置されている。さらに、この第３梁主筋３Ａの梁長さ方向の他端側部位３ｂと第１梁主筋１Ａの梁長さ方向の一端側部位１ａは、第３梁主筋交差部Ｃを通し筋として貫通する状態で配筋されている。
【００１８】
第１〜第３鉄筋コンクリート梁１〜３の第１〜第３スターラップ筋１Ｂ〜３Ｂは、図３〜図５に示すように、各鉄筋コンクリート梁１〜３の上側部と下側部に配筋されている各梁主筋１Ａ〜３Ａを囲むように設けられ、梁長さ方向に所定間隔をあけて配筋されている。
尚、図１〜図５中の符号５は、コンクリート打設によって形成された梁コンクリートを示している。
【００１９】
そして、本発明の梁鉄筋組付け方法では、図２〜図５に示すように、第１〜第３鉄筋コンクリート梁１〜３を構成する第１〜第３梁鉄筋Ｒ１〜Ｒ３中の第１〜第３梁主筋１Ａ〜３Ａの各々を、梁長さ方向一端側が梁長さ方向他端側よりも上方側に位置する傾斜姿勢とし、各梁主筋１Ａ〜３Ａの梁長さ方向一端側が交差対象の各梁主筋１Ａ〜３Ａに対して上方側に位置ズレし、且つ、各梁主筋１Ａ〜３Ａの梁長さ方向他端側が交差対象の各梁主筋１Ａ〜３Ａに対しては下方側に位置ズレする配置状態で配筋して組付けている。
【００２０】
詳しくは、図２、図３に示すように、第１鉄筋コンクリート梁１を構成する第１梁鉄筋Ｒ１中の第１梁主筋１Ａの梁長さ方向の一端側部位１ａは、第３梁主筋交差部Ｃにおいて、第３鉄筋コンクリート梁３を構成する第３梁主筋３Ａの梁長さ方向の他端側部位３ｂに対して上方側に位置ズレする配置状態で配筋されている。他方、第１梁主筋１Ａの梁長さ方向の他端側部位１ｂは、第１梁主筋交差部Ａにおいて、第２鉄筋コンクリート梁２を構成する第２梁主筋２Ａの梁長さ方向の一端側部位２ａに対して下方側に位置ズレする配置状態で配筋されている。
【００２１】
また、図２、図４に示すように、第２鉄筋コンクリート梁２を構成する第２梁鉄筋Ｒ２中の第２梁主筋２Ａの梁長さ方向の一端側部位２ａは、第１梁主筋交差部Ａにおいて、第１鉄筋コンクリート梁１を構成する第１梁主筋１Ａの梁長さ方向の他端側部位１ｂに対して上方側に位置ズレする配置状態で配筋されている。他方、第２梁主筋２Ａの梁長さ方向の他端側部位２ｂは、第２梁主筋交差部Ｂにおいて、第３鉄筋コンクリート梁３を構成する第３梁主筋３Ａの梁長さ方向の一端側部位３ａに対して下方側に位置ズレする配置状態で配筋されている。
【００２２】
さらに、図２、図５に示すように、第３鉄筋コンクリート梁３を構成する第３梁鉄筋Ｒ３中の第３梁主筋３Ａの梁長さ方向の一端側部位３ａは、第２梁主筋交差部Ｂにおいて、第２鉄筋コンクリート梁２を構成する第２梁主筋２Ａの梁長さ方向の他端側部位２ｂに対して上方側に位置ズレする配置状態で配筋されている。他方、第３梁主筋３Ａの梁長さ方向の他端側部位３ｂは、第３梁主筋交差部Ｃにおいて、第１鉄筋コンクリート梁１を構成する第１梁主筋１Ａの梁長さ方向の一端側部位１ａに対して下方側に位置ズレする配置状態で配筋されている。
【００２３】
そのため、第１〜第３鉄筋コンクリート梁１〜３を構成する第１〜第３梁鉄筋Ｒ１〜Ｒ３中の第１〜第３梁主筋１Ａ〜３Ａの各々を傾斜姿勢にして、上述の如く、各梁主筋１Ａ〜３Ａの梁長さ方向一端側を交差対象の梁主筋１Ａ〜３Ａに対して上方側に位置ズレ配置し、且つ、各梁主筋１Ａ〜３Ａの梁長さ方向他端側を交差対象の梁主筋１Ａ〜３Ａに対して下方側に位置ズレ配置することにより、トライアングル形状の角部を構成する第１〜第３梁主筋交差部Ａ〜Ｃでの梁主筋１Ａ〜３Ａの高低差を小さくすることができる。これにより、トライアングル形状に配筋される梁全体の梁断面が大きくなるのを抑制することができるとともに、各鉄筋コンクリート梁１〜３の断面構成の相違を少なくし、梁主筋１Ａ〜３Ａを含む鉄筋の組付け作業の効率化、配筋間違えの排除、梁構造の全体バランスの好適化を図ること等を実現することができる。
【００２４】
また、本発明の梁鉄筋組付け方法においては、第１〜第３鉄筋コンクリート梁１〜３を構成する第１〜第３梁鉄筋Ｒ１〜Ｒ３中の第１〜第３梁主筋１Ａ〜３Ａの各々を、第１〜第３梁主筋交差部Ａ〜Ｃが同一又は略同一レベルに位置する配置状態で組付けている。
詳しくは、第１梁主筋交差部Ａにおける第１梁主筋１Ａの梁長さ方向の他端側部位１ｂと第２梁主筋２Ａの梁長さ方向の一端側部位２ａとの配置レベルと、第２梁主筋交差部Ｂにおける第２梁主筋２Ａの梁長さ方向の他端側部位２ｂと第３梁主筋３Ａの梁長さ方向の一端側部位３ａとの配置レベルと、第３梁主筋交差部Ｃにける第３梁主筋３Ａの梁長さ方向の他端側部位３ｂと第１梁主筋１Ａの梁長さ方向の一端側部位１ａとの配置レベルとが同一又は略同一レベルに構成されている。
【００２５】
さらに、本発明の梁鉄筋組付け方法においては、第１梁主筋交差部Ａにおいては、第１梁主筋１Ａの梁長さ方向の他端側部位１ｂと第２梁主筋２Ａの梁長さ方向の一端側部位２ａとが当接又は近接している。また、第２梁主筋交差部Ｂにおいては、第２梁主筋２Ａの梁長さ方向の他端側部位２ｂと第３梁主筋３Ａの梁長さ方向の一端側部位３ａとが当接又は近接している。さらに、第３梁主筋交差部Ｃにおいては、第３梁主筋３Ａの梁長さ方向の他端側部位３ｂと第１梁主筋１Ａの梁長さ方向の一端側部位１ａとが当接又は近接している。
そのため、第１〜第３梁主筋１Ａ〜３Ａの各々が同一の主筋材料で構成され、且つ、第１〜第３梁主筋交差部Ａ〜Ｃ間の各配筋距離も同一であるため、第１〜第３梁主筋１Ａ〜３Ａの各々の傾斜姿勢の傾斜角が同一又は略同一の角度に設定されている。
【００２６】
上述の構成により、トライアングル形状の角部を構成する第１〜第３梁主筋交差部Ａ〜Ｃでの位置ズレ量は梁主筋１本分又は略１本分となり、第１〜第３梁主筋交差部Ａ〜Ｃでの梁主筋１Ａ〜３Ａの高低差を小さくすることができる。これにより、トライアングル形状に配筋構成される各鉄筋コンクリート梁１〜３全体の梁断面が大きくなるのをより抑制することができる。また、各鉄筋コンクリート梁１〜３の断面構成の相違を少なくし、第１〜第３梁主筋１Ａ〜３Ａを含む鉄筋の組付け作業の効率化、配筋間違えの排除、梁構造の全体バランスの好適化を更に一層図ることができる。
【００２７】
〔その他の実施形態〕
（１）上述の実施形態では、三本の鉄筋コンクリート梁１〜３の各々を構成する梁鉄筋Ｒ１〜Ｒ３中の梁主筋１Ａ〜３Ａの各々を、平面視で多角形状の一例であるトライアングル形状に接続する状態で、且つ、当該多角形状の角部を構成する梁主筋交差部Ａ〜Ｃにおいて隣り合う鉄筋コンクリート梁１〜３の梁主筋１Ａ〜３Ａどうしを交差させる状態で組付ける梁鉄筋組付け方法について説明したが、この構成に限定されるものではない。本発明の梁鉄筋組付け方法は、例えば、四本以上の鉄筋コンクリート梁の各々を構成する梁主筋の各々を、平面視で中央側に四角形、五角形、六角形、七角形等の多角形状を形成する状態で、且つ、当該多角形状の角部を構成する梁主筋交差部において隣り合う鉄筋コンクリート梁の梁主筋どうしを交差させる状態で組付ける場合にも適用することができる。
要するに、本発明の梁鉄筋組付け方法は、複数の梁の梁鉄筋を組み付ける場合に有効に適用することができる。
【００２８】
（２）上述の実施形態では、鉄筋コンクリート梁１〜３を構成する梁鉄筋Ｒ１〜Ｒ３中の梁主筋１Ａ〜３Ａの各々を、多角形状の各角部を構成する梁主筋交差部Ａ〜Ｃにおいて、隣り合う鉄筋コンクリート梁１〜３の梁主筋１Ａ〜３Ａどうしを交差させる状態で、且つ、梁主筋交差部Ａ〜Ｃを通し筋として貫通する状態で配筋したが、この構成に限定されるものではない。例えば、隣り合う鉄筋コンクリート梁１〜３の梁主筋１Ａ〜３Ａどうしを、梁主筋交差部Ａ〜Ｃに非貫通状態で交差させて配筋してもよい。
【００２９】
（３）上述の実施形態では、鉄筋コンクリート梁１〜３を構成する梁鉄筋Ｒ１〜Ｒ３中の梁主筋１Ａ〜３Ａの各々を、多角形状の各角部を構成する梁主筋交差部Ａ〜Ｃにおいて、隣り合う鉄筋コンクリート梁１〜３の梁主筋１Ａ〜３Ａどうしが当接又は近接する状態で交差配置したが、この構成に限定されるものではない。例えば、鉄筋コンクリート梁１〜３を構成する梁主筋１Ａ〜３Ａの各々を、多角形状の各角部を構成する梁主筋交差部Ａ〜Ｃにおいて、隣り合う鉄筋コンクリート梁１〜３の梁主筋１Ａ〜３Ａどうしが上下方向に離間した状態で交差配置してもよい。
【００３０】
（４）上述の実施形態では、本発明の梁鉄筋組付け方法を鉄筋コンクリート梁に適用したが、この構成に限定されるものではなく、例えば、鉄筋鉄骨コンクリート梁に適用してもよい。
【符号の説明】
【００３１】
１      梁（第１鉄筋コンクリート梁）
１Ａ    梁主筋（第１梁主筋）
１ａ    一端側（一端側部位）
１ｂ    他端側（他端側部位）
２      梁（第２鉄筋コンクリート梁）
２Ａ    梁主筋（第２梁主筋）
２ａ    一端側（一端側部位）
２ｂ    他端側（他端側部位）
３      梁（第３鉄筋コンクリート梁）
３Ａ    梁主筋（第３梁主筋）
３ａ    一端側（一端側部位）
３ｂ    他端側（他端側部位）
Ａ      交差部部位（第１梁主筋交差部）
Ｂ      交差部部位（第２梁主筋交差部）
Ｃ      交差部部位（第３梁主筋交差部）
Ｒ１    梁鉄筋（第１梁鉄筋）
Ｒ２    梁鉄筋（第２梁鉄筋）
Ｒ３    梁鉄筋（第３梁鉄筋）
【図１】
0006688070.tif 000002
【図２】
0006688070.tif 000003
【図３】
0006688070.tif 000004
【図４】
0006688070.tif 000005
【図５】
0006688070.tif 000006